(57)【要約】【課題】特殊形状の弾性体保持具を用いることなく、補助極７を容易に固定できるスタータを提供する。【解決手段】補助極固定用リング８は、環状のリング面を有し、このリング面に補助極７の数と同数のスリットが周方向等間隔に形成されている。スリットは、リング面の外周から内周側へ向かって所定の長さだけ形成され、補助極７の端部を挿入できる程度に補助極７の板厚と略同寸法のスリット幅を有している。補助極７は、軸方向の長さが主磁極６の全長より長く設けられ、その主磁極６の軸方向両端より突き出る軸方向の両端部が、それぞれ径方向の内周側を切り欠いた鉤状に形成され、この鉤状の端部７ａをスリットに引っ掛けた状態で補助極固定用リング８に保持され、且つ、鉤状の端部７ａより内周側、つまり切欠きが形成された部位の軸方向端面が、補助極固定用リング８のリング面に当接して軸方向に位置規制されている。【選択図】図１
2009005457.tif 000002
【特許請求の範囲】
【請求項１】
ヨークの内周に永久磁石から成る複数の主磁極を周方向等間隔に配置すると共に、前記複数の主磁極の増磁側に磁性材料から成る補助極をそれぞれ配置して界磁を構成する磁石界磁型モータを備えるスタータであって、
前記補助極は、軸方向の長さが前記主磁極より長く設けられ、前記主磁極の軸方向両端より突き出る軸方向の両端部が、それぞれ前記ヨークの内周に配置される円環状の補助極固定用リングに保持されて前記ヨークの内周に固定されることを特徴とするスタータ。
【請求項２】
請求項１に記載したスタータにおいて、
前記補助極固定用リングは、前記モータの軸心と直交する環状のリング面を有すると共に、このリング面に複数のスリットが周方向等間隔に形成され、
前記補助極は、前記主磁極の軸方向両端より突き出る軸方向の両端部が、それぞれ径方向の内周側を切り欠いた鉤状に形成され、この鉤状の端部を前記スリットに引っ掛けた状態で前記補助極固定用リングに保持され、且つ、前記鉤状の端部より内周側の軸方向端面が前記リング面に当接して軸方向に位置規制されていることを特徴とするスタータ。
【請求項３】
請求項２に記載したスタータにおいて、
前記ヨークの一端側開口部に嵌合して前記モータの後部を覆うエンドフレームを有し、  前記補助極の軸方向エンドフレーム側の端部を保持する一方の補助極固定用リングは、前記リング面の外周縁からエンドフレーム方向へ筒状に延びる円筒部を有し、この円筒部の軸方向端部が前記ヨークと前記エンドフレームとの嵌合部に挟持されて軸方向に位置決めされ、
前記補助極の軸方向反エンドフレーム側の端部を保持する他方の補助極固定用リングは、前記リング面の外周縁から反エンドフレーム方向へ筒状に延びる円筒部を有し、この円筒部の軸方向端面がスタータ構成部品に当接して軸方向に位置決めされていることを特徴とするスタータ。
【請求項４】
請求項３に記載したスタータにおいて、
前記スタータ構成部品は、前記モータの回転トルクを増幅する減速装置と前記モータとの間に配設される防塵プレートであることを特徴とするスタータ。
【請求項５】
請求項２に記載したスタータにおいて、
前記補助極固定用リングは、前記ヨークの内周に圧入嵌合して固定されていることを特徴とするスタータ。
【請求項６】
ヨークの内周に永久磁石から成る複数の主磁極を周方向等間隔に配置すると共に、前記複数の主磁極の増磁側に磁性材料から成る補助極をそれぞれ配置して界磁を構成する磁石界磁型モータを備えるスタータであって、
前記補助極は、軸方向の長さが前記主磁極より長く設けられ、前記主磁極の軸方向両端より突き出る軸方向の両端部が、前記モータの軸方向両側に配置されるスタータ構成部品に保持されて前記ヨークの内周に固定されることを特徴とするスタータ。
【請求項７】
請求項６に記載したスタータにおいて、
前記スタータ構成部品には、複数のスリットが周方向等間隔に形成され、
前記補助極は、前記主磁極の軸方向両端より突き出る軸方向の両端部が、それぞれ径方向の内周側を切り欠いた鉤状に形成され、この鉤状の端部を前記スリットに引っ掛けた状態で前記スタータ構成部品に保持され、且つ、前記鉤状の端部より内周側の軸方向端面が前記スタータ構成部品の軸方向端面に当接して軸方向に位置規制されていることを特徴とするスタータ。
【請求項８】
請求項７に記載したスタータにおいて、
前記補助極の軸方向一端側の端部を保持する一方のスタータ構成部品は、前記ヨークの一端側開口部に嵌合して前記モータの後部を覆うエンドフレームであり、
前記補助極の軸方向他端側の端部を保持する他方のスタータ構成部品は、前記モータの回転トルクを増幅する減速装置と前記モータとの間に配設される防塵プレートであることを特徴とするスタータ。
【発明の詳細な説明】
【技術分野】
【０００１】
本発明は、永久磁石を主磁極に用いると共に、その主磁極の増磁側に磁性材料から成る補助極を配置した磁石界磁型モータを有するスタータに関する。
【背景技術】
【０００２】
従来、永久磁石を主磁極としてヨークの内周に固定した磁石界磁型モータが知られている。この磁石界磁型モータでは、高電流域でのトルクを低下させることなく、低電流域での回転速度を向上させる手段として、磁性材料から成る補助極（例えば鉄片）を主磁極の増磁側に隣接して配置する構造が公知である。
例えば、特許文献１には、略コの字状を有する弾性体保持具を用いて主磁極（永久磁石）と補助極とを同時にヨークに固定する技術が示されている。
【特許文献１】特開平９−１６８２４５号公報
【発明の開示】
【発明が解決しようとする課題】
【０００３】
ところが、上記の弾性体保持具は、コの字形状の開口端に曲げ成形部が設けられ、この曲げ成形部を主磁極及び補助極の内周側縁部に係止させることで、主磁極及び補助極に対する固定力を増大させている。このため、特許文献１に開示された公知技術では、特殊形状の弾性体保持具を複数個用いるため、コストが高くなるという問題があった。
本発明は、上記事情に基づいて成されたもので、その目的は、特殊形状の弾性体保持具を用いることなく、補助極を容易に固定できるスタータを提供することにある。
【課題を解決するための手段】
【０００４】
（請求項１の発明）
本発明は、ヨークの内周に永久磁石から成る複数の主磁極を周方向等間隔に配置すると共に、複数の主磁極の増磁側に磁性材料から成る補助極をそれぞれ配置して界磁を構成する磁石界磁型モータを備えるスタータであって、補助極は、軸方向の長さが主磁極より長く設けられ、主磁極の軸方向両端より突き出る軸方向の両端部が、それぞれヨークの内周に配置される円環状の補助極固定用リングに保持されてヨークの内周に固定されることを特徴とする。
上記の構成によれば、溶接や接着等の手段によって補助極をヨークの内周に固定する必要はなく、一組の補助極固定用リングによって複数の補助極をヨークの内周に容易に固定できる。また、補助極を固定する手段として、先の「背景技術」に記載した特殊形状の弾性体保持具を用いる必要もないので、コストを低く抑えることが可能である。
【０００５】
（請求項２の発明）
請求項１に記載したスタータにおいて、補助極固定用リングは、モータの軸心と直交する環状のリング面を有すると共に、このリング面に複数のスリットが周方向等間隔に形成され、補助極は、主磁極の軸方向両端より突き出る軸方向の両端部が、それぞれ径方向の内周側を切り欠いた鉤状に形成され、この鉤状の端部をスリットに引っ掛けた状態で補助極固定用リングに保持され、且つ、鉤状の端部より内周側の軸方向端面がリング面に当接して軸方向に位置規制されていることを特徴とする。
上記の構成によれば、補助極固定用リングに形成されたスリットに補助極の鉤状の端部を引っ掛けるだけの簡単な構成によって補助極をヨークの内周に固定でき、且つ、補助極を軸方向に位置決めできる。
【０００６】
（請求項３の発明）
請求項２に記載したスタータにおいて、ヨークの一端側開口部に嵌合してモータの後部を覆うエンドフレームを有し、補助極の軸方向エンドフレーム側の端部を保持する一方の補助極固定用リングは、リング面の外周縁からエンドフレーム方向へ筒状に延びる円筒部を有し、この円筒部の軸方向端部がヨークとエンドフレームとの嵌合部に挟持されて軸方向に位置決めされ、補助極の軸方向反エンドフレーム側の端部を保持する他方の補助極固定用リングは、リング面の外周縁から反エンドフレーム方向へ筒状に延びる円筒部を有し、この円筒部の軸方向端面がスタータ構成部品に当接して軸方向に位置決めされていることを特徴とする。
上記の構成では、補助極固定用リングを位置決めするために特別な部品を使用する必要はなく、補助極固定用リングの他に部品点数が増加することはない。
【０００７】
（請求項４の発明）
請求項３に記載したスタータにおいて、スタータ構成部品は、モータの回転トルクを増幅する減速装置とモータとの間に配設される防塵プレートであることを特徴とする。
減速装置を有するスタータでは、モータ部で発生する異物（例えばブラシの摩耗粉）が減速装置に使用されるグリースに混入することを防止するために、減速装置とモータとの間に防塵プレートを配設することが多い。そこで、既存の防塵プレートを利用して、他方の補助極固定用リングを軸方向に位置決めすることが可能である。
【０００８】
（請求項５の発明）
請求項２に記載したスタータにおいて、補助極固定用リングは、ヨークの内周に圧入嵌合して固定されていることを特徴とする。
この場合、補助極固定用リングを位置決めするために特別な部品を使用する必要はなく、補助極固定用リングの他に部品点数が増加することはない。
【０００９】
（請求項６の発明）
本発明は、ヨークの内周に永久磁石から成る複数の主磁極を周方向等間隔に配置すると共に、複数の主磁極の増磁側に磁性材料から成る補助極をそれぞれ配置して界磁を構成する磁石界磁型モータを備えるスタータであって、補助極は、軸方向の長さが主磁極より長く設けられ、主磁極の軸方向両端より突き出る軸方向の両端部が、モータの軸方向両側に配置されるスタータ構成部品に保持されてヨークの内周に固定されることを特徴とする。  上記の構成によれば、溶接や接着等の手段によって補助極をヨークの内周に固定する必要はなく、スタータ構成部品によって複数の補助極をヨークの内周に容易に固定できる。また、補助極を固定する手段として、先の「背景技術」に記載した特殊形状の弾性体保持具を用いる必要もないので、コストを低く抑えることが可能である。
【００１０】
（請求項７の発明）
請求項６に記載したスタータにおいて、スタータ構成部品には、複数のスリットが周方向等間隔に形成され、補助極は、主磁極の軸方向両端より突き出る軸方向の両端部が、それぞれ径方向の内周側を切り欠いた鉤状に形成され、この鉤状の端部をスリットに引っ掛けた状態でスタータ構成部品に保持され、且つ、鉤状の端部より内周側の軸方向端面がスタータ構成部品の軸方向端面に当接して軸方向に位置規制されていることを特徴とする。  上記の構成によれば、スタータ構成部品に形成されたスリットに補助極の鉤状の端部を引っ掛けるだけの簡単な構成によって補助極をヨークの内周に固定でき、且つ、補助極を軸方向に位置決めできる。
【００１１】
（請求項８の発明）
請求項７に記載したスタータにおいて、補助極の軸方向一端側の端部を保持する一方のスタータ構成部品は、ヨークの一端側開口部に嵌合してモータの後部を覆うエンドフレームであり、補助極の軸方向他端側の端部を保持する他方のスタータ構成部品は、モータの回転トルクを増幅する減速装置とモータとの間に配設される防塵プレートであることを特徴とする。
減速装置を有するスタータでは、モータ部で発生する異物（例えばブラシの摩耗粉）が減速装置に使用されるグリースに混入することを防止するために、減速装置とモータとの間に防塵プレートを配設することが多い。そこで、既存の防塵プレートにを利用して、補助極の軸方向一端側の端部を保持することが可能である。
【発明を実施するための最良の形態】
【００１２】
本発明を実施するための最良の形態を以下の実施例により詳細に説明する。
【実施例１】
【００１３】
図１はスタータに使用されるモータ部の半断面図である。
本実施例のスタータは、回転トルクを発生するモータ１と、このモータ１の回転トルクを増幅する減速装置２と、この減速装置２で増幅されたモータ１の回転トルクが伝達されて回転するピニオンギヤ（図示せず）等を有し、このピニオンギヤをエンジンのリングギヤ（図示せず）に噛み合わせてエンジンを始動させる周知の働きを有する。
モータ１は、図１に示す様に、磁気回路を形成する円筒状のヨーク３と、このヨーク３の内周に固定される界磁極（下述する）と、この界磁極の内周に所定のギャップを有して回転自在に配置される電機子４と、ヨーク３の一端側（図示右側）の開口部に嵌合してモータ１の後部を覆うエンドフレーム５等より構成される。
【００１４】
界磁極は、永久磁石から成る複数の主磁極６と、磁性材料（例えば鉄）から成る複数の補助極７とで構成される。
複数の主磁極６は、ヨーク３の内周に周方向等間隔に配置され、図示しない磁石スプリングの弾力を利用してヨーク３の内周に固定されている。
複数の補助極７は、それぞれ主磁極６の増磁側に隣接して配置され、軸方向の両端部が一組の補助極固定用リング８（図３参照）に保持されてヨーク３の内周に固定されている。この補助極固定用リング８を用いた補助極７の固定方法については後述する。
【００１５】
電機子４は、回転トルクを出力する電機子軸４ａと、この電機子軸４ａの外周に嵌合して固定される電機子鉄心４ｂと、この電機子鉄心４ｂに巻線される電機子コイル４ｃと、電機子軸４ａの一端側外周に設けられる整流子９より構成され、この整流子９の外周に配置されるブラシ１０を通じて電機子コイル４ｃにバッテリ電流が通電される。
減速装置２は、モータ１の電機子軸４ａと同軸上で減速できる遊星歯車減速装置であり、電機子４の反整流子側（図示左側）に設けられている。
減速装置２と電機子４との間には、電機子軸４ａと直交して防塵プレート１１が配設されている。この防塵プレート１１は、例えば、ブラシ１０の摩耗によって発生したブラシ粉等が減速装置２に使用されるグリースに混入することを防止する働きを有する。
【００１６】
次に、本発明に係る補助極７と補助極固定用リング８について説明する。
補助極固定用リング８（８Ａ、８Ｂ）は、図３（ｂ）に示す様に、環状のリング面８ａを有し、このリング面８ａに補助極７の数と同数のスリット８ｂが周方向等間隔に形成されている。スリット８ｂは、リング面８ａの外周から内周側へ向かって所定の長さだけ形成され、補助極７の端部を挿入できる程度に補助極７の板厚（周方向の幅）と略同寸法のスリット幅を有している。
補助極７は、図２に示す様に、軸方向（図示左右方向）の長さが主磁極６の全長Ｌより長く設けられ、その主磁極６の軸方向両端より突き出る軸方向の両端部が、それぞれ径方向の内周側（図示下側）を切り欠いた鉤状に形成され、この鉤状の端部７ａを上記のスリット８ｂに引っ掛けた状態で補助極固定用リング８に保持され、且つ、鉤状の端部７ａより内周側、つまり切欠きが形成された部位の軸方向端面が、補助極固定用リング８のリング面８ａに当接して軸方向に位置規制されている。
【００１７】
この補助極７の軸方向エンドフレーム側（図１の右側）の端部を保持する一方の補助極固定用リング８Ａは、リング面８ａの外周縁からエンドフレーム方向へ筒状に延びる円筒部８ｃを有し、この円筒部８ｃがヨーク３の内周面に嵌合して径方向に位置規制されると共に、円筒部８ｃの軸方向端部がヨーク３とエンドフレーム５との嵌合部に挟持されて軸方向に位置決めされている。
また、補助極７の軸方向反エンドフレーム側の端部を保持する他方の補助極固定用リング８Ｂは、リング面８ａの外周縁から反エンドフレーム方向へ筒状に延びる円筒部８ｃを有し、この円筒部８ｃがヨーク３の内周面に嵌合して径方向に位置規制されると共に、円筒部８ｃの軸方向端面が防塵プレート１１に当接して軸方向に位置決めされている。
【００１８】
（実施例１の効果）
本実施例のスタータに使用されるモータ１は、溶接や接着等の手段によって補助極７をヨーク３の内周に固定する必要はなく、一組の補助極固定用リング８によって複数の補助極７をヨーク３の内周に容易に固定できる。具体的には、補助極固定用リング８のリング面８ａに形成されたスリット８ｂに補助極７の鉤状の端部７ａを引っ掛けるだけの簡単な構成によって補助極７をヨーク３の内周に固定でき、且つ、リング面８ａによって補助極７を軸方向に位置決めできる。
【００１９】
また、補助極７を固定する手段として、先の「背景技術」に記載した特殊形状の弾性体保持具を用いる必要もないので、コストを低く抑えることが可能である。
更に、補助極固定用リング８は、スタータに使用される既存の構成部品（エンドフレーム５、防塵プレート１１）を利用して軸方向に位置決めできるので、補助極固定用リング８を位置決めするために特別な部品を使用する必要はなく、補助極固定用リング８の他に部品点数が増加することはない。
【実施例２】
【００２０】
図４はスタータに使用されるモータ部の半断面図である。
この実施例２は、図４に示す様に、一組の補助極固定用リング８をヨーク３の内周に圧入嵌合して固定する場合の一例である。
この構成によれば、補助極固定用リング８を固定するために特別な部品を使用する必要はなく、補助極固定用リング８の他に部品点数が増加することはない。
また、実施例１では、一方の補助極固定用リング８Ａに設けられる円筒部８ｃの端部がヨーク３とエンドフレーム５との嵌合部に挟持されるため、円筒部８ｃの板厚分だけ軸長が長くなる。これに対し、本実施例の場合は、一方の補助極固定用リング８Ａの端部をヨーク３とエンドフレーム５との間に挟持する必要がないので、実施例１の構成と比較して、軸長を短縮できるメリットがある。
【実施例３】
【００２１】
図５はスタータに使用されるモータ部の半断面図である。
この実施例３は、実施例１または実施例２に記載した補助極固定用リング８を使用することなく、補助極７の両端部を直接、スタータ構成部品に保持させる一例である。
この場合、スタータの構成部品として、図５に示す様に、補助極７の軸方向一端側（図示右側）に配置されるエンドフレーム５と、補助極７の軸方向他端側に配置される防塵プレート１１を利用でき、そのエンドフレーム５と防塵プレート１１には、それぞれ補助極７の端部を挿入できる複数のスリット（図示せず）が形成されている。
【００２２】
補助極７は、実施例１と同様に、軸方向の両端部が鉤状に形成され、この鉤状の端部７ａを前記スリットに引っ掛けた状態で、エンドフレーム５と防塵プレート１１に保持される。
本実施例の構成によれば、既存のスタータ構成部品であるエンドフレーム５と防塵プレート１１を利用して補助極７をヨーク３の内周に固定できるので、補助極７を固定するために特別な部品を使用する必要はなく、部品点数が増加することはない。
【図面の簡単な説明】
【００２３】
【図１】スタータに使用されるモータ部の半断面図である（実施例１）。
【図２】補助極の側面図である。
【図３】（ａ）補助極固定用リングの断面図、（ｂ）同リングの正面図である。
【図４】スタータに使用されるモータ部の半断面図である（実施例２）。
【図５】スタータに使用されるモータ部の半断面図である（実施例３）。
【符号の説明】
【００２４】
１    モータ
２    減速装置
３    ヨーク
５    エンドフレーム
６    主磁極
７    補助極
７ａ  鉤状の端部
８    補助極固定用リング
８ａ  補助極固定用リングのリング面
８ｂ  スリット
８ｃ  補助極固定用リングの円筒部
１１    防塵プレート
【図１】
2009005457.tif 000003
【図２】
2009005457.tif 000004
【図３】
2009005457.tif 000005
【図４】
2009005457.tif 000006
【図５】
2009005457.tif 000007